(57)【特許請求の範囲】
【請求項１】
縫合糸を螺旋状に巻回して収容保持する縫合糸パッケージであって、
ベースシートの一方の面に糸通路配置部を有する保持器と、
螺旋状に形成され、前記配置部に設けられる糸通路部とを備え、
前記保持器は前記ベースシートの前記一方の面に形成した糸取出しエリアを有し、
前記配置部は、前記ベースシートから延設する螺旋状の仕切り用壁部により形成された上方が開放する螺旋状の収容溝部で構成され、
前記収容溝部の一方の第１の端部は前記糸取出しエリア内に連通させて開口され、
前記糸通路部は、両端を開口した螺旋状のパイプ部材で構成され、
前記糸通路部は、一端部に第１の開口部を有していると共に他端部に第２の開口部を有し、前記第１の開口部を前記収容溝部の前記一方の第１の端部を介して前記糸取出しエリア内に連通させると共に前記第２の開口部を前記収容溝部の他方の第２の端部側に連通させて前記配置部の前記収容溝内に固定して配置され、
前記配置部の前記収容溝部の前記他方の第２の端部側に設けた減圧吸引用開口部を通じて前記糸通路部内を吸引減圧することにより、前記第１の開口部から前記縫合糸を前記糸通路部内に吸引導入して収容保持させるように構成した
ことを特徴とする縫合糸パッケージ。
【請求項２】
請求項１に記載の縫合糸パッケージにおいて、
前記糸取出しエリア内における前記ベースシート上に、前記縫合糸の端部を保持する糸保持手段を備えていることを特徴とする縫合糸パッケージ。
【請求項３】
請求項１に記載の縫合糸パッケージにおいて、
前記糸取出しエリア内における前記ベースシート上に、縫合針を保持する針保持手段を備えていることを特徴とする縫合糸パッケージ。
【請求項４】
請求項１に記載の縫合糸パッケージにおいて、
前記保持器は、前記収容溝部の前記他方の第２の端部側に前記糸通路部の前記第２の開口部と連通させて設けた減圧吸引用開口部を有していることを特徴とする縫合糸パッケージ。
【発明の詳細な説明】
【技術分野】
【０００１】
本発明は縫合糸パッケージに関する。さらに詳しくは、縫合糸を螺旋状に巻回して収容保持する縫合糸パッケージに関する。本発明の縫合糸パッケージは、端部に縫合針を固着して取付けた針付き縫合糸及び縫合針を取付けていない縫合糸の両方に適用される。
【背景技術】
【０００２】
従来の縫合糸パッケージとして、例えば図１１に示すように構成したものが一般に知られている。図１１は従来の縫合糸パッケージの一部の構成を概略的に示す説明図である。この縫合糸パッケージ１００は、ベースシート１０１の一方の面に、ベースシート１０１から壁部１０２…１０２を螺旋状に延出し、前記壁部１０２…１０２で螺旋状の糸通路を構成してある。糸通路１０３は両端に開口部（図示せず）を有している。糸通路１０３の図１１において上端部は開口（開口部１０４）され、ベースシート１０１の他方の面にカバーシート１０５を接着して、前記シート１０５で前記開口部１０４を閉塞した構成を具備している（例えば、特許文献１等参照）。
【０００３】
縫合糸１０６は、糸通路１０３の一端側における開口部から糸通路１０３へ導入されて収容保持される。これにより、縫合糸は螺旋状に巻回して収容保持される。また、縫合糸１０６をパッケージから取出す場合は、縫合糸の端部（針付き縫合糸の場合は縫合針）を持針器等で把持して引っ張り、縫合糸を前記一端側の開口部を介して糸通路から引き出すように構成されている。
【０００４】
ところで、この種縫合糸パッケージは、縫合糸を糸通路から容易、かつ、円滑良好に取り出せるように構成することが肝要である。しかしながら、上記従来の縫合糸パッケージは次のような不都合な問題を有している。
【０００５】
即ち、従来の縫合糸パッケージは、ベースシートの他方の面（糸通路の開口部１０４側の面）にカバーシート１０５を接着して、開口部１０４をシート１０５で閉塞する構成を採用している。そのため、糸通路の上端部（壁部の上端部）とカバーシートとの境界に隙間が生じ易い。したがって、縫合糸を糸通路から引き出すとき、縫合糸が糸通路上端部（壁部の上端部）とカバーシートとの境界領域内に挟まれて押し込まれ、その結果、縫合糸の引き出しを困難にする場合が生じることがある。
【先行技術文献】
【特許文献】
【０００６】
【特許文献１】実用新案登録第３０７８６０８号公報
【発明の概要】
【発明が解決しようとする課題】
【０００７】
本発明は上記したような実情に鑑みてなされたもので、パッケージ内に螺旋状に巻回して収容した縫合糸を容易かつ円滑良好に引き出すことができる縫合糸パッケージを提供することを目的とするものである。
【課題を解決するための手段】
【０００８】
上記目的を達成するため、本発明のうち、１つの発明（第１の発明）は、縫合糸を螺旋状に巻回して収容保持する縫合糸パッケージであって、
ベースシートの一方の面に糸通路配置部を有する保持器と、
螺旋状に形成され、前記配置部に設けられる糸通路部とを備え、
前記保持器は前記ベースシートの前記一方の面に形成した糸取出しエリアを有し、
前記配置部は、前記ベースシートから延設する螺旋状の仕切り用壁部により形成された上方が開放する螺旋状の収容溝部で構成され、
前記収容溝部の一方の第１の端部は前記糸取出しエリア内に連通させて開口され、
前記糸通路部は、両端を開口した螺旋状のパイプ部材で構成され、
前記糸通路部は、一端部に第１の開口部を有していると共に他端部に第２の開口部を有し、前記第１の開口部を前記収容溝部の前記一方の第１の端部を介して前記糸取出しエリア内に連通させると共に前記第２の開口部を前記収容溝部の他方の第２の端部側に連通させて前記配置部の前記収容溝内に固定して配置され、
前記配置部の前記収容溝部の前記他方の第２の端部側に設けた減圧吸引用開口部を通じて前記糸通路部内を吸引減圧することにより、前記第１の開口部から前記縫合糸を前記糸通路部内に吸引導入して収容保持させるように構成したことを特徴とする。
【０００９】
本発明の縫合糸パッケージは、縫合糸の端部に縫合針をかしめ着等により固着して取付けた針付き縫合糸及び縫合糸のみ、即ち、縫合針を取付けていない縫合糸の両方に適用できるものである。また、本発明においては、１本の縫合糸を収容するように構成できると共に複数本の縫合糸を収容するように構成することもできる。
【００１０】
本発明において、糸通路部に収容されている縫合糸は、第１の開口部から引き出すものである。本発明は上記のように糸通路は両端を開口した螺旋状のパイプ部材で構成されているので、縫合糸を引っ張ることにより、糸通路の内壁面に案内されて容易に引き出すことができる。したがって、縫合糸を円滑良好に引き出すことができる。
【００１３】
本発明の他の１つの発明（第２の発明）は、第１の発明の縫合糸パッケージにおいて、前記糸取出しエリア内における前記ベースシート上に、前記縫合糸の端部を保持する糸保持手段を備えていることを特徴とする。
【００１４】
本発明のさらに他の１つの発明（第３の発明）は、第１の発明の縫合糸パッケージにおいて、前記糸取出しエリア内における前記ベースシート上に、縫合針を保持する針保持手段を備えていることを特徴とする。
【００１５】
本発明のさらに他の１つの発明（第４の発明）は、第１ないし第３の発明の縫合糸パッケージにおいて、前記保持器は、前記収容溝部の前記他方の第２の端部側に前記糸通路部の前記第２の開口部と連通させて設けた減圧吸引用開口部を有していることを特徴とする。
【発明の効果】
【００１６】
本発明によれば次のような作用効果を奏する。
（１）縫合糸を糸通路部に導入して螺旋状に巻回して整然と収容保持できる。
（２）糸通路部は両端を開口した螺旋状のパイプ部材で構成されている。したがって、針付き縫合糸の場合にあっては、縫合針を持針器等で挟持して引っ張ることにより、縫合針は糸通路の内壁面に案内され第１の開口部を介して縫合糸を糸通路から容易に引き出すことができる。また、縫合糸を取付けていない縫合糸の場合には、縫合糸の端部を持針器その他の挟持具で挟持して引っ張ることにより、上記と同様に第１の開口部を介して容易に引き出すことができる。このように本発明によれば、糸通路に収容されている縫合糸を容易かつ円滑良好に引き出すことができる。
【図面の簡単な説明】
【００１７】
【図１】本発明の一実施形態の縫合糸パッケージの構成を概略的に示す図であって、同図（ａ）は平面図、同図（ｂ）は前記パッケージの糸通路部を示す平面図、同図（ｃ）は同図（ａ）のＡ−Ａ線で切断し、その構成を概略的に示す拡大断面図である。
【図２】前記パッケージの保持器の構成を概略的に示す平面図である。
【図３】前記パッケージに設けた保護カバーの構成を概略的に示す平面図である。
【図４】図２のＢ−Ｂ線で切断し、その構成を概略的に示す説明断面図である。
【図５】前記糸通路部の一部の構成を概略的に示す説明図であって、同図（ａ）は糸通路部の一端部側（第１の開口部側）を示す側面図、同図（ｂ）は同図（ａ）を拡大して示す説明縦断面図、同図（ｃ）は糸通路部の他端部側（第２の開口部側）を示す側面図、同図（ｄ）は同図（ｃ）を拡大して示す説明縦断面図、同図（ｅ）は前記糸通路部に取付けたアダプターを示す側面図、同図（ｆ）は同じく正面図、同図（ｇ）は同じく背面図である。
【図６】前記パッケージの糸通路部の第２の開口部の部分の構成を概略的に示す説明縦断面図である。
【図７】前記パッケージを外装袋に封入した状態の構成を概略的に示す説明図である。
【図８】前記パッケージに採用される他の実施形態の糸通路部の構成を概略的に示す平面図である。
【図９】本発明の他の実施形態の縫合糸パッケージの構成を概略的に示す図であって、同図（ａ）は平面図、同図（ｂ）は同図（ａ）のＣ−Ｃ線で切断し、その構成を概略的に示す拡大断面図である。
【図１０】本発明のさらに他の実施形態の縫合糸パッケージの構成を概略的に示す図であって、同図（ａ）は平面図、同図（ｂ）は前記パッケージに設けた保護カバーを示す平面図、同図（ｃ）は同図（ａ）のＤ−Ｄ線で切断し、その構成を概略的に示す説明断面図である。
【図１１】従来の縫合糸パッケージの一部の構成を概略的に示す説明図である。
【発明を実施するための形態】
【００１８】
以下、図面を参照して本発明の縫合糸パッケージの実施形態の一例について説明する。
【００１９】
図１ないし図６は本発明の一実施形態（実施形態１）の縫合糸パッケージを示す。実施形態１の縫合糸パッケージ２００は、縫合糸１の端部に縫合針２をかしめ着等で固着して取付けた針付き縫合糸用に構成されている。
【００２０】
図１ないし図６に示すように、実施形態１の縫合糸パッケージ２００は、保持器１０と、糸通路部２０と、保護カバー３０とを備えている。
【００２１】
保持器１０は、ベースシート１１の一方の面に糸通路部２０を配置する略楕円形状の糸通路配置部１２を有している。保持器１０の構成素材は特に限定されないが、例えばポリプロピレン、ポリエチレン、ポリスチレン、ポリエチレンテレフタレート（ＰＥＴ）、その他のプラスチックシート等を採用できる。
【００２２】
実施形態１の糸通路配置部１２は、ベースシート１１の前記一方の面に、ベースシート１１から略垂直に延出する螺旋状の仕切り用壁部１３で構成されている。前記壁部１３で上方が開放する螺旋状の収容溝部１４が形成されている。糸通路部２０は前記溝部１４内に収容して配置される。この点については、追ってさらに説明する。
【００２３】
保持器１０のベースシート１１の前記一方の面には、糸取出しエリア１５が形成されている。実施形態１の糸取出しエリア１５は仕切り用壁部１３で囲まれるエリア内に配置して形成されている。
【００２４】
前記収容溝部１４の第１の端部１６は、図２に詳細に示すように、糸取出しエリア１５内に連通させて開口している。また、前記溝部１４の第２の端部１７は閉じている。
【００２５】
保持器１０は、糸取出しエリア１５内におけるベースシート１１上に、縫合針２を係脱自在に保持する任意の構成の針保持手段１８を備えている。実施形態１の針保持手段１８は、前記針２を係脱自在に挟持する挟持部を有する任意の構成の保持具１８ａで構成されている。また、保持具１８ａはベースシート１１と一体成形されている。
【００２６】
前記糸通路部２０は螺旋状に形成されている。糸通路部２０は、一端部に第１の開口部２１を有していると共に他端部に第２の開口部２２を有している。実施形態１の糸通路部２０は直線状部と円弧状部とを有する概略楕円形状（配置部１２と対応する形状）に形成されている。糸通路部２０は、第１の開口部２１を糸取出しエリア１５に連通させて配置部１２に固定して配置される。
【００２７】
糸通路部２０は、両端を開口した螺旋状のパイプ部材２３で構成されている。パイプ部材２３の構成素材は特に限定されるものではないが、例えば、飲料用として一般に採用されているプラスチック製のストローのようなパイプ材その他の任意のプラスチック製等のパイプ材で構成することができる。なお、パイプ部材２３は透明のパイプ材で構成することが好ましい。透明のパイプ材を採用することにより、内部に収容される縫合糸１を外部から容易に確認することができる。
【００２８】
本実施形態１の糸通路部２０は、パイプ部材２３の両端にアダプター２４Ａ，２４Ｂを有している。両アダプター２４Ａ，２４Ｂは同一に構成されている。実施形態１の両アダプター２４Ａ，２４Ｂは、図５に詳細に示すように、収容溝部１４内に適合して係入し得る大きさの略四角形状に形成し、中心部に空気流通用の貫通孔２６を形成した本体２５と、前記孔２６と連通させて本体２５から突出させて設けられ、パイプ部材２３の端部に適合して嵌入する接続用短管２７とを有して構成されている。アダプター２４Ａ，２４Ｂは、パイプ部材２３の両端に短管２７をそれぞれ嵌入し、接着その他の手段でパイプ部材２３に固定して設けてある。これにより、実施形態１の糸通路部２０の第１の開口部２１はアダプター２４Ａの前記貫通孔２６で構成されている。また、第２の開口部２２はアダプター２４Ｂの前記貫通孔２６で構成されている。
【００２９】
糸通路部２０は、パイプ部材２３のアダプター２４Ａ側を前記溝部１４の第１の端部１６に位置させると共にアダプター２４Ｂ側を前記溝部１４の第２の端部１７の近くに位置させてパイプ部材２３及びアダプター２４Ａ，２４Ｂを前記溝部１４内に係合収容して配置し、接着その他の任意の手段で固定して設けてある。これにより、糸通路部２０は、第１の開口部２１を収容溝部１４の開口した第１の端部１６を介して糸取出しエリア１５内に連通させると共に第２の開口部２２を収容溝部１４の第２の端部１７側と連通させて前記配置部１２に固定して配置されている。また、前記溝部１４の第２の端部１７側に糸通路部２０の第２の開口部２２と連通した空気流通路１９が形成される。
【００３０】
前記保護カバー３０は、保持器１０と対応する形状、かつ、保持器１０と対応する大きさの透明プラスチックシート材等で構成されている。保護カバー３０は、前記配置部１２に配置されている糸通路部２０の上から保持器１０に接着して設けてある。
【００３１】
前記カバー３０は、糸取出しエリア１５の針保持手段１８の位置する部位を開口する開口部３１と、開口部３１側に延設した舌片３２とを有している。前記舌片３２により、針保持手段１８に保持される縫合針２の針先部を覆わせて保護するように構成してある。また、カバー３０は、溝部１４の第２の端部側１７（空気流通路１９の端部側）に減圧吸引用開口部３３を有している。前記開口部３３を通じて糸通路部２０内を吸引減圧し、第１の開口部２１から縫合糸１を通路部２０内に吸引導入して収容保持させるように構成してある。この場合、アダプター２４Ａは溝部１４の第１の端部側のパッキング材の役目をなす。また、アダプター２４Ｂは溝部１４の第２の端部側のパッキング材の役目をなす。
即ち、パイプ部材２３の第１の端部側及び第２の端部側の外壁面と溝部１４との間、及び前記外壁面とカバー３０の内壁面との間をシールするパッキング材として機能させるために設けたものである。
【００３２】
実施形態１の縫合糸パッケージは上記のように構成したもので、次に縫合糸１を糸通路部２０へ収容して保持させる方法の一例及び作用効果等について説明する。
図示しない減圧吸引装置により前記吸引用開口部３３から糸通路部２０内を吸引減圧し、縫合糸１の端部（針２と反対側の端部）を糸通路部２０の第１の開口部２１へ挿入する。これにより、糸１は糸通路部内へ吸引され、パイプ部材２３に案内されて螺旋状に巻回して糸通路部内に整然と収容保持される。そして、上記により糸１を収容した後、縫合針２を針保持手段１８で保持する。これにより、縫合糸は螺旋状に巻回して保持され、パッケージされる。また、前記針２の針先部は舌片３２で覆わせる。
【００３３】
次に、縫合糸１をパッケージから取り出す場合には、持針器（図示せず）で針２を把持（挟持）して引っ張ることにより、糸２は糸通路部のパイプ部材の内壁面に案内され、第１の開口部２１を介して糸通路部から容易に引き出せる。このように糸通路部はパイプ部材で構成されているので、糸通路部に収容されている縫合糸の引き出し作業を容易、かつ円滑良好に行なうことができる。
【００３４】
なお、本実施形態１では、吸引減圧用開口部３３をカバー３０側に設けた例を開示したが、前記開口部３３は保持器１０のベースシート１１側に設ける構成を採用してもよい。この構成によっても上記と同様の作用効果を奏する。上記した前記開口部３３を設ける部位の変形態様については、後述する各実施形態においても同様である。
【００３５】
図７は上記のように縫合糸１を収容保持した前記パッケージ２００を外装袋に封入した状態の一例の構成を概略的に示す説明図である。
【００３６】
外装袋４０は、図７に示すように、台紙４１と透明プラスチックフィルム製等の表面フィルムシート４２とで構成される。そして、台紙４１に前記パッケージ２００を載置すると共に、その上から前記フィルムシート４２を台紙４１上に重合し、この状態で台紙４１及びフィルムシート４２の両側縁（図７において上下縁）と底縁、及び上縁部近くに沿わせてシートヒート４３する。これにより、前記パッケージ２００は外装袋４０内に密封して収容される。次いで、上記のようにパッケージ２００を外装袋４０に封入した状態でガス滅菌等により滅菌処理される。
【００３７】
前記パッケージ２００は、一般に上記のように外装袋４０に封入して滅菌処理した状態で流通に供され、また、保管される。そして、所要時に開封して外装袋から取り出して使用される。この点については後述する各実施形態に老いても同様である。
【００３８】
図８は前記パッケージ２００に採用される他の実施形態（実施形態２）の糸通路部の構成を概略的に示す平面図である。実施形態２において、実施の形態１で既に説明した構成と共通する構成部等には同一符号を付して説明を省略する。この点については後述する各実施形態においても同様である。
【００３９】
実施形態２の糸通路部２０Ａは、螺旋状のパイプ部材２３の円弧状部に位置する部位に蛇腹パイプ部２３ａを介装して一体成形して構成されている。他の構成は実施形態１の糸通路部２０と同様である。
【００４０】
実施形態２の糸通路部２０Ａは、上記のように構成され、実施形態１と全く同様に前記配置部１２に固定して配置し、縫合糸パッケージを構成するものである。また、実施形態１と同様に使用するものである。これにより、実施の形態１と同様の作用効果を奏する。
なお、実施形態２のように構成すると、縫合糸１をパッケージから取り出す際、糸通路部の円弧状部は蛇腹パイプ部で構成されているので、当該部位を通過する際の縫合糸１との摺接抵抗（摩擦抵抗）を小にできる。したがって、糸の引き抜き作業が一層容易かつ良好に行える。
また、実施形態２のようにパイプ部材２３の所望の部位に蛇腹パイプ部２３ａを介装して糸通路部を構成すると、パイプ部材は蛇腹パイプ部材の部位を円弧状その他の所望の形状に弯曲させることができる。したがって、例えば、糸通路部を直線状のパイプ部材で製造し、このパイプ部材の蛇腹パイプ部を弯曲させて所望の大きさの螺旋状の糸通路部を形成することができる。
【００４１】
図９は本発明のさらに他の実施形態（実施形態３）の縫合糸パッケージを示す。実施形態３の縫合糸パッケージ３００は、複数本の針付き縫合糸のパッケージ用に構成されている。
【００４２】
実施形態３の縫合糸パッケージ３００は、保持器１０のベースシート１１に形成される糸取出しエリア１５Ａを仕切り用壁部で囲まれるエリアの略全域で形成されている。針保持手段１８Ａは、複数個（縫合糸１の本数と対応する数）の保持具１８ｂ…１８ｂを糸取出しエリア１５Ａ内の略中央部におけるベースシート１１上に、所望の間隔を存して直線状に並べて設けて構成されている。
【００４３】
複数本の各縫合糸１Ａ，１Ｂ…１Ｅの端部にそれぞれ固着して設けた各縫合針２Ａ，２Ｂ…２Ｅは、図９（ａ）に示すように、針保持手段１８Ａの所定の部位の保持具１８ｂ…１８ｂに係脱自在に挟持させて並べて保持させるように構成されている。なお、図９（ａ）において、縫合糸１Ａ以外の縫合糸１Ｂ…１Ｅは、一部のみを図示してある。
【００４４】
保護カバー３０は、糸取出しエリア１５Ａと対応する大きさに開口した開口部３１Ａと、カバー３０から開口部３１Ａ側に延設した舌片３２Ａとを有している。前記舌片３２Ａは、針保持手段１８Ａ保持される複数本の全ての縫合針２Ａ…２Ｅの針先部を覆わせる大きさに形成し、前記各針の針先部を保護するように構成されている。他の構成は実施形態１と同様である。
【００４５】
実施形態３の縫合糸パッケージは上記のように構成され、実施形態１と同様の方法で糸通路部２０内に吸引し、螺旋状に巻回して糸通路部２０内に収容保持される。この場合、全ての縫合糸１Ａ…１Ｅをまとめて吸引し、又は糸を所望本づつ吸引し、或いは１本づつ吸引して、図９（ｂ）に示すように、糸通路部に全縫合糸１Ａ…１Ｅを螺旋状に巻回して収容保持することができる。
【００４６】
上記のように糸通路部内に収容した縫合糸１Ａ…１Ｅは、所望の縫合針を持針器で把持して、引っ張ることにより、１本づつ糸通路部から取り出して使用する。実施形態３の縫合糸パッケージによっても実施形態１と同様の作用効果を奏する。
【００４７】
図１０は本発明のさらに他の実施形態（実施形態４）の縫合糸パッケージを示す。実施形態４の縫合糸パッケージ４００は、糸通路部２０の構成及び糸取出しエリア１５Ｂの配置の位置構成等に特徴がある。
【００４８】
実施形態４は、螺旋状の仕切り用壁部１３で形成した収容溝部１４の第１の端部１６Ａを最外側部に位置させると共に第２の端部１７Ａを略中央部に位置させて糸通路配置部１２を形成してある。これに対応して、螺旋状の糸通路部２０も第１の開口部２１を最外側部に位置させると共に第２の開口部２２を内側に位置させるように構成し、第１の開口部２１を第１の端部１６Ａ側に位置させると共に第２の開口部２２を第２の端部１７Ａ側に位置させて溝部１４内に係合収容して固定して配置してある。
【００４９】
糸取出しエリア１５Ｂは糸通路配置部１２の外側に位置させてベースシート１１の前記一方の面に形成されている。前記第１の端部１６Ａは、図１０（ａ）に示すように、糸取出しエリア１５Ｂ内に連通させて開口してある。これにより、糸通路部２０の第１の開口部２１は糸取出しエリア内に連通されている。また、第２の開口部２２は収容溝部１４の第２の端部１７Ａ側に連通されている。糸取出しエリア１５Ｂ内におけるベースシート１１上に、実施形態１と同様の針保持手段１８が設けてある。
【００５０】
保護カバー３０Ａは、糸取出しエリアの位置する部位を開口する開口部３１Ｂと、開口部３１Ｂ側に延設した舌片３２Ｂとを有している。また、カバー３０Ａは、溝部１４の第２の端部１７Ａ側に減圧吸引用開口部３３Ａを有している。他の構成は実施形態１と同様である。
【００５１】
実施形態４の縫合糸パッケージは上記したように構成され、実施形態１と同様に使用するものである。これにより、実施形態１と同様の作用効果を奏する。
【００５２】
なお、上記した各実施形態の縫合糸パッケージは、縫合糸の端部に縫合針を固着して取付けた針付き縫合糸用に構成した例を開示したが、縫合糸のみ、即ち、縫合針を取付けていない縫合糸用に構成してもよいものである。この場合には、糸取出しエリアに針保持手段に代え、縫合糸の端部側を係脱自在に保持する任意の構成の糸保持手段を設ける。
【００５３】
また、上記各実施形態では、糸通路配置部を螺旋状の仕切り用壁部で構成した例を開示したが、前記壁部は螺旋状ではなく、例えば最外側部の壁部と最内側の壁部により前記配置部を構成してもよい。この場合には、中間部の部位における壁部は省略される。
【００５４】
また、上記各実施形態では、全長にわたって連続する連続壁により仕切り用壁部を構成した例が開示されているが、前記壁部は断続的に連続する断続壁で構成することもできる。
【００５５】
さらにまた、糸通路配置部は、仕切り用壁以外の手段により構成することもできる。要は、糸通路部を配置して固定できるように構成すればよいものである。
【００５６】
さらにまた、糸通路部のパイプ部材の両端に設けたアダプターは、所望に応じて設けるもので、省略してもよい。また、保護カバー３０は、基本的には配置部に配置して設けた糸通路部等を覆わせて保護することを主な目的として設けたもので、省略することもできる。
【００５７】
なお、上記した各実施形態の縫合糸パッケージは一例として開示したもので、本発明は上記実施形態に限定されるものではなく、特許請求の範囲に記載の技術思想を越脱しない範囲において任意に変更可能なものである。
【符号の説明】
【００５８】
１      縫合糸
２      縫合針
１０    保持器
１１    ベースシート
１２    糸通路配置部
１５    糸取出しエリア
２０    糸通路部
２１    第１の開口部
２２    第２の開口部
２３    パイプ部材
【図１】
0005796767.tif 000002
【図２】
0005796767.tif 000003
【図３】
0005796767.tif 000004
【図４】
0005796767.tif 000005
【図５】
0005796767.tif 000006
【図６】
0005796767.tif 000007
【図７】
0005796767.tif 000008
【図８】
0005796767.tif 000009
【図９】
0005796767.tif 000010
【図１０】
0005796767.tif 000011
【図１１】
0005796767.tif 000012